(57)【要約】【課題】かご内の乗客が調光ガラスの光透過率を制御できる利便性および防犯性に優れたエレベータかごの制御装置およびエレベータかごの制御方法を得る。【解決手段】エレベータのかご（１）の一部または昇降路の一部に使用され、外部からの制御により光透過率の制御が可能な調光ガラス（１０）と、調光ガラスの光透過率を制御する調光ガラス制御部（２０）と、を備えたエレベータかごの制御装置であって、かご内に設けられ、かご内の乗客の操作による制御指示情報またはかご内の乗客の状態検知情報の少なくともいずれかを含む乗客情報を出力する乗客情報出力部（１１）と、乗客情報出力部が出力する乗客情報に基づいて、調光ガラスの光透過率を設定する乗客情報解析部（２１）とを更に備える。【選択図】図１
2015009941.tif 000002
【特許請求の範囲】
【請求項１】
エレベータのかごの一部または昇降路の一部に使用され、外部からの制御により光透過率の制御が可能な調光ガラスと、前記調光ガラスの光透過率を制御する調光ガラス制御部と、を備えたエレベータかごの制御装置であって、
前記かご内に設けられ、前記かご内の乗客の操作による制御指示情報または前記かご内の乗客の状態検知情報の少なくともいずれかを含む乗客情報を出力する乗客情報出力部と、
前記乗客情報出力部が出力する前記乗客情報に基づいて、前記調光ガラスの前記光透過率を設定する乗客情報解析部と
を更に備え、
前記乗客情報解析部は、
前記乗客情報として受信した前記制御指示情報または前記乗客情報として受信した前記状態検知情報が前記調光ガラスの光透過率の設定値情報を示す場合には、前記設定値情報に対応する光透過率を設定し、
前記乗客情報として受信した前記制御指示情報または前記乗客情報として受信した前記状態検知情報が、予め定めた異常判断条件を満たす場合には、前記かご内の前記乗客に異常が発生したと判断し、前記かご内の異常をかご外部から視認できるようにするために、光透過率として視認用光透過率を設定し、
前記調光ガラス制御部は、前記乗客情報解析部により設定された前記光透過率に基づいて前記調光ガラスの光透過率を制御する
エレベータかごの制御装置。
【請求項２】
請求項１に記載のエレベータかごの制御装置において、
前記調光ガラス制御部は、前記制御指示情報または前記状態検知情報に起因して前記乗客情報解析部により前記視認用光透過率が設定された場合には、一定周期で前記調光ガラスの透過状態／非透過状態を切替えるように前記調光ガラスの光透過率を制御する
エレベータかごの制御装置。
【請求項３】
請求項１または２に記載のエレベータかごの制御装置において、
前記調光ガラスは、光透過量を個別制御可能な複数の区分に分割された調光ガラスで構成されており、
前記調光ガラス制御部は、前記制御指示情報または前記状態検知情報に起因して前記乗客情報解析部により前記視認用光透過率が設定された場合には、前記調光ガラスに異常を示す文字または図形を表示させるように前記複数の区分に分割されたそれぞれの調光ガラスの光透過量を個別に制御する
エレベータかごの制御装置。
【請求項４】
請求項１から３のいずれか１項に記載のエレベータかごの制御装置において、
前記乗客情報出力部は、前記かご内の乗客が発する音声を前記状態検知情報として出力するマイクロホンを含み、
前記乗客情報解析部は、前記マイクロホンが出力する前記音声に対して音声認識処理を施し、前記音声の大きさが予め定めた値よりも大きい場合には、前記異常判断条件が満たされたと判断して前記視認用光透過率を設定し、前記音声の大きさが予め定めた値以下であり、かつ前記音声が前記調光ガラスの光透過率の設定値情報を示す場合には、前記設定値情報に対応する光透過率を設定する
エレベータかごの制御装置。
【請求項５】
請求項１から３のいずれか１項に記載のエレベータかごの制御装置において、
前記乗客情報出力部は、前記かご内の乗客の動作を撮影した映像信号を前記状態検知信号として出力するカメラを含み、
前記乗客情報解析部は、前記カメラが出力する前記映像信号に対して画像処理を施し、前記映像信号に含まれる前記乗客の動きが規定量以上に激しい場合に前記異常判断条件が満たされたと判断して前記視認用光透過率を設定し、前記動きが規定量未満であり、かつ前記動きが前記調光ガラスの光透過率の設定値情報を示す場合には、前記設定値情報に対応する光透過率を設定する
エレベータかごの制御装置。
【請求項６】
請求項１から３のいずれか１項に記載のエレベータかごの制御装置において、
前記乗客情報出力部は、前記かごの揺れの測定値を前記状態検知信号として出力するかご揺れセンサを含み、
前記乗客情報解析部は、前記かご揺れセンサが出力する前記揺れの測定値が予め定めた値よりも大きい場合に前記異常判断条件が満たされたと判断する
エレベータかごの制御装置。
【請求項７】
請求項１から６のいずれか１項に記載のエレベータかごの制御装置において、
前記乗客情報解析部は、前記乗客情報出力部または前記調光ガラス制御部に統合されている
エレベータかごの制御装置。
【請求項８】
エレベータのかごの一部または昇降路の一部に使用され、外部からの制御により光透過率の制御が可能な調光ガラスと、
前記かご内に設けられ、前記かご内の乗客の操作による制御指示情報または前記かご内の乗客の状態検知情報の少なくともいずれかを含む乗客情報を出力する乗客情報出力部と、
前記乗客情報出力部が出力する前記乗客情報に基づいて、前記調光ガラスの前記光透過率を設定する乗客情報解析部と、
前記乗客情報解析部により設定された前記光透過率に基づいて、前記調光ガラスの光透過率を制御する調光ガラス制御部と
を備えたエレベータかごの制御装置に適用されるエレベータかごの制御方法であって、
前記乗客情報解析部において、前記乗客情報として受信した前記制御指示情報または前記乗客情報として受信した前記状態検知情報が前記調光ガラスの光透過率の設定値情報を示す場合には、前記設定値情報に対応する光透過率を設定し、前記乗客情報として受信した前記制御指示情報または前記乗客状態検知情報が、予め定めた異常判断条件を満たす場合には、前記かご内の前記乗客に異常が発生したと判断し、前記かご内の異常をかご外部から視認できるようにするために、光透過率として視認用光透過率を設定する光透過率設定ステップと、
前記調光ガラス制御部において、前記光透過率設定ステップにより前記設定値情報に対応する光透過率が設定されている場合には、設定された前記光透過率となるように前記調光ガラスの光透過率を制御し、前記光透過率設定ステップにより前記異常判断条件を満たすことに起因して前記視認用光透過率が設定されている場合には、一定周期で前記調光ガラスの透過状態／非透過状態を切替えるように前記調光ガラスの光透過率を制御する光透過量制御ステップと
を有するエレベータかごの制御方法。
【発明の詳細な説明】
【技術分野】
【０００１】
本発明は、光透過率を制御できる調光ガラスを、かごの一部または昇降路の一部に備えたエレベータかごの制御装置およびエレベータかごの制御方法に関するものである。
【背景技術】
【０００２】
従来のエレベータかごの制御装置として、かごの側壁の展望窓を調光ガラスで形成し、かご内の温度センサで測定したかご内温度に応じて、調光ガラスの光透過率を自動制御することにより、調光ガラスから差し込む光によるかご内の温度上昇を調整するものがある（例えば、特許文献１参照）。
【先行技術文献】
【特許文献】
【０００３】
【特許文献１】特開平４−９４３９１号公報
【発明の概要】
【発明が解決しようとする課題】
【０００４】
しかしながら、従来技術には、以下のような課題がある。
特許文献１のエレベータかごの制御装置では、温度センサで測定したかご内温度に応じて調光ガラスの光透過率を自動制御しているが、調光ガラスの光透過率をかご内の乗客が制御できるようにはなっていない。この結果、乗客が外の景色を見たい場合でも、調光ガラスを透明にできないという利便性の課題があった、また、かご内で異常が発生した場合でも、調光ガラスを透明にしてかご内の異常を外部から視認できるようにすることができないという防犯性の課題があった。
【０００５】
本発明は、上記のような課題を解決するためになされたものであり、かご内の乗客が調光ガラスの光透過率を制御できる利便性および防犯性に優れたエレベータかごの制御装置およびエレベータかごの制御方法を得ることを目的とする。
【課題を解決するための手段】
【０００６】
本発明に係るエレベータかごの制御装置は、エレベータのかごの一部または昇降路の一部に使用され、外部からの制御により光透過率の制御が可能な調光ガラスと、調光ガラスの光透過率を制御する調光ガラス制御部と、を備えたエレベータかごの制御装置であって、かご内に設けられ、かご内の乗客の操作による制御指示情報またはかご内の乗客の状態検知情報の少なくともいずれかを含む乗客情報を出力する乗客情報出力部と、乗客情報出力部が出力する乗客情報に基づいて、調光ガラスの光透過率を設定する乗客情報解析部とを更に備え、乗客情報解析部は、乗客情報として受信した制御指示情報または乗客情報として受信した状態検知情報が調光ガラスの光透過率の設定値情報を示す場合には、設定値情報に対応する光透過率を設定し、乗客情報として受信した制御指示情報または乗客情報として受信した状態検知情報が、予め定めた異常判断条件を満たす場合には、かご内の乗客に異常が発生したと判断し、かご内の異常をかご外部から視認できるようにするために、光透過率として視認用光透過率を設定し、調光ガラス制御部は、乗客情報解析部により設定された光透過率に基づいて調光ガラスの光透過率を制御するものである。
【０００７】
また、本発明に係るエレベータかごの制御方法は、エレベータのかごの一部または昇降路の一部に使用され、外部からの制御により光透過率の制御が可能な調光ガラスと、かご内に設けられ、かご内の乗客の操作による制御指示情報またはかご内の乗客の状態検知情報の少なくともいずれかを含む乗客情報を出力する乗客情報出力部と、乗客情報出力部が出力する乗客情報に基づいて、調光ガラスの光透過率を設定する乗客情報解析部と、乗客情報解析部により設定された光透過率に基づいて、調光ガラスの光透過率を制御する調光ガラス制御部とを備えたエレベータかごの制御装置に適用されるエレベータかごの制御方法であって、乗客情報解析部において、乗客情報として受信した制御指示情報または乗客情報として受信した状態検知情報が調光ガラスの光透過率の設定値情報を示す場合には、設定値情報に対応する光透過率を設定し、乗客情報として受信した制御指示情報または乗客状態検知情報が、予め定めた異常判断条件を満たす場合には、かご内の乗客に異常が発生したと判断し、かご内の異常をかご外部から視認できるようにするために、光透過率として視認用光透過率を設定する光透過率設定ステップと、調光ガラス制御部において、光透過率設定ステップにより設定値情報に対応する光透過率が設定されている場合には、設定された光透過率となるように調光ガラスの光透過率を制御し、光透過率設定ステップにより異常判断条件を満たすことに起因して視認用光透過率が設定されている場合には、一定周期で調光ガラスの透過状態／非透過状態を切替えるように調光ガラスの光透過率を制御する光透過量制御ステップとを有するものである。
【発明の効果】
【０００８】
本発明によれば、かご内の乗客の操作による制御指示情報またはかご内の乗客の状態検知情報の少なくともいずれかを含む乗客情報を出力する乗客情報出力部を備えている。また、乗客情報出力部が出力する乗客情報に基づいて、調光ガラスの光透過率を設定する乗客情報解析部を備えている。この結果、かご内の乗客が調光ガラスの光透過率を制御できる利便性および防犯性に優れたエレベータかごの制御装置およびエレベータかごの制御方法を得ることができる。
【図面の簡単な説明】
【０００９】
【図１】本発明の実施の形態１におけるエレベータかごの制御装置の構成の例示図である。
【図２】本発明の実施の形態２におけるエレベータかごの制御装置の構成の例示図である。
【図３】本発明の実施の形態３におけるエレベータかごの制御装置の構成の例示図である。
【図４】本発明の実施の形態４におけるエレベータかごの制御装置の構成の例示図である。
【図５】本発明の実施の形態５におけるエレベータかごの制御装置の構成の第１の例示図である。
【図６】本発明の実施の形態５におけるエレベータかごの制御装置の構成の第２の例示図である。
【発明を実施するための形態】
【００１０】
以下、本発明におけるエレベータかごの制御装置およびエレベータかごの制御方法の好適な実施の形態について図面を用いて説明する。なお、各図において同一、または相当する部分については、同一符号を付して説明する。
【００１１】
実施の形態１．
図１は、本発明の実施の形態１におけるエレベータかごの制御装置の構成の例示図である。図１に示すエレベータかごの制御装置は、かご１および制御装置２を備えて構成される。
【００１２】
制御装置２は、かご１の外部に設置されて、エレベータの乗客を目的階へと運ぶかご１の制御を行っている。ここで、かご１は、調光ガラス１０およびマイクロホン１１を備え、制御装置２は、調光ガラス制御部２０および音声解析部２１を備えている。
【００１３】
また、調光ガラス制御部２０は、かご１に設置された調光ガラス１０の光透過率を制御している。具体的には、かご１内部とかご１外部との間の相互視認性を切替える、または、調光ガラス１０から差し込む光によるかご１内の温度上昇を調整するといった制御を行うことが可能である。
【００１４】
しかしながら、上述したように、従来のエレベータかごの制御装置では、調光ガラス１０の光透過率は、温度センサで測定したかご１内温度に応じて、制御装置２によって自動制御されており、かご１内の乗客が制御することはできなかった。
【００１５】
そこで、本実施の形態１におけるエレベータかごの制御装置は、図１に示すように、かご１内の乗客が発する音声を測定して電気信号として出力するマイクロホン１１を備えている。また、マイクロホン１１が出力する電気信号を、例えば、タッチレスコール等の音声認識技術を用いて、乗客の音声による制御指示情報として解析する音声解析部２１を備えている。
【００１６】
このようなエレベータかごの制御装置の構成とすることにより、かご１内の乗客の音声による調光ガラス１０の光透過率の制御指示情報を、マイクロホン１１によって測定し、音声解析部２１によって解析することができる。この結果、音声解析部２１は、乗客の音声による制御指示情報に応じて、光透過率を調光ガラス制御部２０に設定することにより、調光ガラス１０の光透過率を制御することができる。
【００１７】
具体的には、音声解析部２１は、乗客が「ＯＰＥＮ」と発声した場合には、調光ガラス１０の光透過率を最大にする。一方、乗客が、「ＣＬＯＳＥ」と発声した場合には、調光ガラス１０の光透過率を最小にする。また、音声情報として光透過率の数値設定を行うことで、音声に基づいて所望の数値の光透過率を設定することも可能である。
【００１８】
また、このときの、具体的な、乗客の音声による調光ガラス１０の光透過率の制御指示情報の音声認識方法としては、例えば、マイクロホン１１が出力する制御指示情報の信号パターンが、音声解析部２１に予め登録された制御指示情報の信号パターンと一致した場合に、乗客によって調光ガラス１０の光透過率を制御する指示がなされたと判断するようにすればよい。
【００１９】
このように、かご１内の乗客が調光ガラス１０の光透過率を制御することにより、乗客が自分の希望に合わせて外の景色を見ることができるようになり、乗客の利便性が向上する。また、調光ガラス１０から差し込む光によるかご１内の温度上昇を乗客の希望に合わせて制御することもできるようになる。
【００２０】
また、音声解析部２１は、かご１内の乗客が叫んでいる場合などを検知するために、マイクロホン１１が出力する電気信号の大きさを乗客の状態検知情報として利用する。そして、電気信号の大きさが予め定めた値よりも大きい場合には、かご１内の乗客に異常が発生していると判断する。
【００２１】
そして、音声解析部２１は、このような場合には、かご１内の乗客の異常をかご１外部から視認できるようにするために、調光ガラス制御部２０を制御して調光ガラス１０の光透過率を最大にする、または、かご１内の乗客の異常をかご１外部に知らせるために、一定周期で調光ガラス１０の透過／非透過を切替える、もしくは、調光ガラス１０が複数の区分に分割され独立に制御できる場合には、調光ガラス１０に異常を示す「ＨＥＬＰ」等の文字または図形を表示する。なお、異常が発生したと判断した場合には、必ずしも光透過率を最大とする必要はなく、最大値の代わりに、あらかじめ設定した視認用光透過率を適用することもできる。
【００２２】
このように、かご１内の乗客が調光ガラス１０の光透過率を制御することにより、かご１内の乗客の異常をかご１外部に知らせることができるようになり、エレベータの防犯性が向上する。
【００２３】
なお、音声解析部２１による乗客の状態検知情報の処理を、乗客による制御指示情報の処理に優先させる必要がある場合には、マイクロホン１１が出力する電気信号の大きさが、予め定めた値よりも小さい場合のみに、乗客による制御指示情報の処理を実施するようにすればよい。
【００２４】
以上のように、実施の形態１によれば、かご内の乗客の操作による制御指示情報またはかご内の乗客の状態検知情報の少なくともいずれかを含む乗客情報を出力するマイクロホン備えている。また、マイクロホンが出力する乗客情報に基づいて、調光ガラスの光透過率を設定する音声解析部を備えている。この結果、かご内の乗客が調光ガラスの光透過率を制御できる利便性および防犯性に優れたエレベータかごの制御装置およびエレベータかごの制御方法を得ることができる。
【００２５】
なお、調光ガラス１０の光透過率は、一般には、通過または非通過の２段階で制御される場合が多いが、本発明では、光透過率の段階は２段階に制限されるものではない。例えば、光通過率が、３段階以上の多段階で、あるいは連続的に無段階で制御される場合でも同様の効果が得られる。
【００２６】
また、調光ガラス１０は、かご１内の１箇所に設置してもよいし、複数箇所に複数枚設置するようにしてもよい。
【００２７】
また、調光ガラス１０は、かご１に設置されるものとしたが、エレベータの昇降路に設置するようにしてもよい。この場合は、かご１が昇降路の調光ガラス１０を通過する際に、上記と同様の方法で昇降路の調光ガラス１０を制御することで同様の効果を得ることができる。また、かご１の調光ガラス１０と昇降路の調光ガラス１０と同期させて制御するようにしてもよい。
【００２８】
また、図１では、音声解析部２１を、制御装置２に設けた例を示しているが、音声解析部２１は、かご１内に設置してもよく、この場合でも、同様の効果を得ることができる。また、音声解析部２１は、マイクロホン１１に統合させてもよい。
【００２９】
実施の形態２．
先の実施の形態１では、乗客情報出力部としてマイクロホン１１を用いる場合について説明した。これに対して、本実施の形態２では、乗客情報出力部としてカメラを用いる場合について説明する。
【００３０】
図２は、本発明の実施の形態２におけるエレベータかごの制御装置の構成の例示図である。図２に示すかご１は、先の実施の形態１におけるマイクロホン１１の代わりに、かご１内の乗客の動作を撮影して電気信号として出力するカメラ１２を備えている。また、制御装置２は、先の実施の形態１における音声解析部２１の代わりに、カメラ１２が出力する電気信号を、乗客の動作による制御指示情報および乗客の状態検知情報として映像解析する映像解析部２２を備えている。
【００３１】
この結果、映像解析部２２は、先の実施の形態１と同じ方法を用いることにより、乗客による制御指示情報に応じて、調光ガラス１０の光透過率を制御することができる。
【００３２】
具体的には、映像解析部２２は、乗客が、かご１の外の景色を見ようと、調光ガラス１０の方を向いて調光ガラス１０に両手を伸ばした場合には、調光ガラス１０の光透過率を最大にする。一方、乗客が、調光ガラス１０に背を向けて、調光ガラス１０から差し込む光を両手で遮る動作をした場合には、調光ガラス１０の光透過率を最小にする。このように、画像処理結果に基づく乗客の動きが、調光ガラス１０の光透過率の設定値情報を示す場合には、設定値情報に対応する光透過率を設定することができる。
【００３３】
また、映像解析部２２は、カメラ１２が撮影する乗客の動きの激しさを乗客の状態検知情報として利用し、かご１内の乗客の動きが規定量以上に激しい場合には、かご１内で異常が発生していると判断する。そして、先の実施の形態１と同じ方法を用いることにより、かご１内の乗客の異常をかご１外部に知らせる。
【００３４】
なお、映像解析部２２による乗客の状態検知情報の処理を、乗客による制御指示情報の処理に優先されるようにするためには、映像信号を画像処置した動きの大きさが、予め定めた値よりも小さい場合のみに、制御指示情報の処理を実施するようにすればよい。
【００３５】
以上のように、実施の形態２によれば、先の実施の形態１におけるマイクロホンの代わりに、カメラを用いる場合でも、先の実施の形態１と同様の効果を得ることができる別のエレベータかごの制御装置を得ることができる。
【００３６】
なお、図２では、映像解析部２２を、制御装置２に設けた例を示しているが、映像解析部２２は、かご１内に設置してもよく、この場合でも、同様の効果を得ることができる。また、映像解析部２２は、カメラ１２に統合させてもよい。
【００３７】
実施の形態３．
先の実施の形態１では、乗客情報出力部としてマイクロホン１１を用いる場合について説明し、先の実施の形態２では、乗客情報出力部としてカメラ１２を用いる場合について説明した。これに対して、本実施の形態３では、乗客情報出力部としてかご揺れセンサを用いる場合について説明する。
【００３８】
図３は、本発明の実施の形態３におけるエレベータかごの制御装置の構成の例示図である。図３に示すかご１は、先の実施の形態１におけるマイクロホン１１の代わりに、かご１の揺れを測定して電気信号として出力するかご揺れセンサ１３を備えている。また、制御装置２は、先の実施の形態１における音声解析部２１の代わりに、かご揺れセンサ１３が出力する電気信号を、乗客の状態検知情報として解析するかご揺れ解析部２３を備えている。
【００３９】
かご揺れ解析部２３は、かご揺れセンサ１３が出力するかご１の揺れの大きさを乗客の状態検知情報として利用し、かご１の揺れが予め定めた値よりも大きい場合には、かご１内で異常が発生していると判断する。そして、先の実施の形態１と同じ方法を用いることにより、かご１内の乗客の異常をかご１外部に知らせる。
【００４０】
なお、本実施の形態３では、先の実施の形態１とは異なり、かご揺れセンサ１３は、乗客による制御指示情報を出力しないため、かご１内の乗客は、調光ガラス１０の光透過率を制御することはできない。
【００４１】
以上のように、実施の形態３によれば、先の実施の形態１におけるマイクロホンの代わりに、かご揺れセンサを用いる場合でも、かご内の乗客の異常を検知してかご外部に知らせることができるエレベータかごの制御装置を得ることができる。
【００４２】
なお、図３では、かご揺れ解析部２３を、制御装置２に設けた例を示しているが、かご揺れ解析部２３は、かご１内に設置してもよく、この場合でも、同様の効果を得ることができる。また、かご揺れ解析部２３は、かご揺れセンサ１３に統合させてもよい。
【００４３】
実施の形態４．
本実施の形態４では、先の実施の形態１におけるマイクロホン１１、あるいは、先の実施の形態２におけるカメラ１２の代わりに、遠隔操作装置を用いる場合でも、先の実施の形態１と同様の効果を得ることができる別のエレベータかごの制御装置について説明する。
【００４４】
図４は、本発明の実施の形態４におけるエレベータかごの制御装置の構成の例示図である。図４に示すかご１は、先の実施の形態１におけるマイクロホン１１の代わりに、かご１内の乗客による釦操作を電気信号として出力する遠隔操作装置１４を備えている。また、制御装置２は、先の実施の形態１における音声解析部２１の代わりに、遠隔操作装置１４が出力する電気信号を、乗客の釦操作による制御指示情報および乗客の状態検知情報として解析する遠隔操作解析部２４を備えている。
【００４５】
この結果、遠隔操作解析部２４は、先の実施の形態１と同じ方法を用いることにより、乗客による制御指示情報に応じて、調光ガラス１０の光透過率を制御することができる。
【００４６】
具体的には、遠隔操作装置１４は、調光ガラス１０の光透過率を最大にする釦、および調光ガラス１０の光透過率を最小にする釦を備えており、乗客が前者の釦を押した場合には、調光ガラス１０の光透過率を最大にする。一方、乗客が後者の釦を押した場合には、調光ガラス１０の光透過率を最小にする。また、釦による設定情報として光透過率の数値設定を行うことで、釦操作に基づいて所望の数値の光透過率を設定することも可能である。
【００４７】
また、遠隔操作装置１４は、かご１内の乗客の異常をかご１外部に知らせる釦を備えており、この釦を乗客の状態検知情報として利用する。すなわち、乗客がこの釦を押した場合には、先の実施の形態１と同じ方法を用いることにより、かご１内の乗客の異常をかご１外部に知らせる。
【００４８】
以上のように、実施の形態４によれば、先の実施の形態１におけるマイクロホンの代わりに、遠隔操作装置を用いる場合でも、先の実施の形態１と同様の効果を得ることができる別のエレベータかごの制御装置を得ることができる。
【００４９】
なお、遠隔操作装置１４は、乗客が所持および操作し易いように、リモコンおよびリモコンの受信機のセットとして構成することも可能である。
【００５０】
また、図４では、遠隔操作解析部２４を、制御装置２に設けた例を示しているが、遠隔操作解析部２４は、かご１内に設置してもよく、この場合でも、同様の効果を得ることができる。また、遠隔操作解析部２４は、遠隔操作装置１４に統合させてもよい。
【００５１】
実施の形態５．
本実施の形態５では、先の実施の形態１〜４における構成を、それぞれ組み合わせて適用する方法について説明する。
【００５２】
図５は、本発明の実施の形態５におけるエレベータかごの制御装置の構成の第１の例示図である。図５は、図１に示す実施の形態１におけるエレベータかごの制御装置の構成と、図２に示す実施の形態２におけるエレベータかごの制御装置の構成とを同時に適用したものである。
【００５３】
図５に示すかご１は、かご１内の乗客の操作による調光ガラス１０の光透過率の制御指示情報またはかご１内の乗客の状態検知情報の少なくともいずれかを含む乗客情報を電気信号として出力する乗客情報出力部として、マイクロホン１１およびカメラ１２を備えている。
【００５４】
また、図５に示す制御装置２は、乗客情報出力部が出力する乗客情報に基づいて、調光ガラス１０の光透過率を設定する乗客情報解析部として、音声解析部２１および映像解析部２２を備えている。
【００５５】
一方、図６は、本発明の実施の形態５におけるエレベータかごの制御装置の構成の第２の例示図である。図６は、図１〜図４に示す実施の形態１〜４におけるエレベータかごの制御装置の構成を全て適用したものである。
【００５６】
図６に示すかご１は、マイクロホン１１、カメラ１２、かご揺れセンサ１３、および遠隔操作装置１４を乗客情報出力部として備えている。また、図６に示す制御装置２は、音声解析部２１、映像解析部２２、かご揺れ解析部２３、および遠隔操作解析部２４を乗客情報解析部として備えている。
【００５７】
このように、先の実施の形態１〜４におけるエレベータかごの制御装置の構成は、エレベータの運用状況および予算に合わせて組み合わせて適用することが可能である。
【００５８】
一般のエレベータでは、かご１に既にマイクロホン１１およびカメラ１２が設置されているような状況が多い。したがって、このような既存のエレベータに対しては、図５に示すように、制御装置２に音声解析部２１および映像解析部２２を設けるだけで、図１に示す構成または図２示す構成のいずれか一方を単独で適用する場合よりも優れた利便性および防犯性を有するエレベータかごの制御装置を低コストで得ることができる。
【００５９】
また、エレベータかごの制御装置の利便性および防犯性が最優先される場合には、図６に示すように、図１〜図４に示す構成を全て適用するようにすればよい。
【００６０】
以上のように、実施の形態５によれば、実施の形態１〜４におけるエレベータかごの制御装置の構成を組み合わせて適用することにより、エレベータの運用状況および予算に合った所望の利便性および防犯性を有するエレベータかごの制御装置を得ることができる。
【００６１】
なお、図５では、音声解析部２１および映像解析部２２が互いに独立した構成を示しているが、音声解析部２１と映像解析部２２とは、統合させても同様の効果を得ることができる。また、更に、音声解析部２１と映像解析部２２と調光ガラス制御部２０とを統合させることも可能である。
【００６２】
また、図６でも同様に、制御装置２の調光ガラス制御部２０、音声解析部２１、映像解析部２２、かご揺れ解析部２３、および遠隔操作解析部２４等の乗客情報解析部は、それぞれ組み合わせて統合しても同様の効果を得ることができる。
【００６３】
なお、以上の説明では、本発明をエレベータかごの制御装置に適用する場合の例を示したが、他にも、オフィスや住宅、介護施設等のガラス窓にも適用できることはいうまでもない。
【符号の説明】
【００６４】
１  かご、２  制御装置、１０  調光ガラス、１１  マイクロホン（乗客情報出力部）、１２  カメラ（乗客情報出力部）、１３  かご揺れセンサ（乗客情報出力部）、１４  遠隔操作装置（乗客情報出力部）、２０  調光ガラス制御部、２１  音声解析部（乗客情報解析部）、２２  映像解析部（乗客情報解析部）、２３  かご揺れ解析部（乗客情報解析部）、２４  遠隔操作解析部（乗客情報解析部）。
【図１】
2015009941.tif 000003
【図２】
2015009941.tif 000004
【図３】
2015009941.tif 000005
【図４】
2015009941.tif 000006
【図５】
2015009941.tif 000007
【図６】
2015009941.tif 000008